(57)【要約】  【課題】  光ディスク装置において、装置性能のばらつきや光ディスクのディスク半径位置の影響を抑えて記録品質を確保する。  【解決手段】  情報の記録時、ディスク半径位置に対応して、光ディスクからの反射レーザ光に基づく再生信号からジッタ値とβ値を取得し、該取得したジッタ値が最小となるときのβ値を目標β値として学習し、その後に取得したジッタ値が、上記ジッタ最小値よりも、予め設定した基準値以上に大きいとき、該取得ジッタ値のときのβ値と上記目標β値との大小関係及び差分に基づき記録パワーを補正するか、または再度試し書きを行う構成とする。【選択図】  図１
2008299913.tif 000002
【特許請求の範囲】
【請求項１】
光ディスクにレーザ光を照射し情報記録を行う光ディスク装置であって、
上記レーザ光を発光するレーザダイオードを駆動するレーザ駆動回路と、
上記光ディスクからの反射レーザ光に基づく再生信号からジッタ値を取得するジッタ取得手段と、
上記レーザ駆動回路及び上記ジッタ取得手段を制御する制御手段と、
を備え、記録中に、ディスク半径位置に対応してジッタ値を取得する構成としたことを特徴とする光ディスク装置。
【請求項２】
光ディスクにレーザ光を照射し情報記録を行う光ディスク装置であって、
上記レーザ光を発光するレーザダイオードを駆動するレーザ駆動回路と、
上記光ディスクからの反射レーザ光に基づく再生信号から、該光ディスクに記録された記録マークのβ値を取得するβ取得手段と、
上記取得したβ値から、装置制御用の目標β値を学習する目標β学習手段と、
上記レーザ駆動回路、上記β取得手段及び上記目標β学習手段を制御する制御手段と、
を備え、記録中に、ディスク半径位置に対応して目標β値を学習する構成としたことを特徴とする光ディスク装置。
【請求項３】
光ディスクにレーザ光を照射し情報記録を行う光ディスク装置であって、
上記レーザ光を発光するレーザダイオードを駆動するレーザ駆動回路と、
上記光ディスクからの反射レーザ光に基づく再生信号からジッタ値を取得するジッタ取得手段と、
上記取得したジッタ値を基準値と比較するジッタ比較手段と、
上記レーザ駆動回路、上記ジッタ取得手段及び上記ジッタ比較手段を制御する制御手段と、
を備え、記録中に、ディスク半径位置に対応したジッタ値を取得し、該ジッタ値が上記基準値を超えるとき、試し書き領域に戻って試し書きを行う構成としたことを特徴とする光ディスク装置。
【請求項４】
光ディスクにレーザ光を照射し情報記録を行う光ディスク装置であって、
上記レーザ光を発光するレーザダイオードを駆動するレーザ駆動回路と、
上記光ディスクからの反射レーザ光に基づく再生信号からジッタ値を取得するジッタ取得手段と、
上記再生信号から、上記光ディスクに記録された記録マークのβ値を取得するβ取得手段と、
上記取得したジッタ値の比較を行うとともに、最小のジッタ値を判別するジッタ比較手段と、
上記最小ジッタ値のときのβ値を、記録パワー制御用の目標β値として学習する目標β学習手段と、
上記目標β値の学習後に取得されたβ値と該目標β値との比較結果に基づき、記録パワーの補正量または補正率を演算する記録パワー補正演算手段と、
上記レーザ駆動回路、上記ジッタ取得手段、上記β取得手段、上記ジッタ比較手段、上記目標β学習手段及び上記記録パワー補正演算手段を制御する制御手段と、
を備え、記録中にディスク半径位置に応じて、ジッタ値を比較して最小ジッタ値を判別し、該判別結果に基づき目標β値を学習し、該目標β値を基準に記録パワーの補正を行うか、または試し書きを再び行うことを特徴とする光ディスク装置。
【請求項５】
上記制御手段は、上記ジッタ値比較の結果、取得ジッタ値が、上記ジッタ最小値よりも大きく、その差が、予め設定した第１の基準値以上で第２の基準値未満の範囲のとき、該取得ジッタ値のときのβ値と上記目標β値との大小関係及び差分に基づき、上記記録パワー補正演算手段に上記記録パワーの補正量または補正率を演算させ、当該光ディスク装置に該演算結果に基づく記録パワーの補正を行わせ、また、上記差が、上記第２の基準値以上のときは、試し書きを指示する信号を形成して出力する構成である請求項４に記載の光ディスク装置。
【請求項６】
上記制御手段は、上記ジッタ値比較の結果、取得ジッタ値が、上記ジッタ最小値よりも大きく、その差が、予め設定した基準値以内にあり、かつ、上記β値比較の結果、取得β値が、上記目標β値よりも大きくかつ予め設定された基準値を超える場合には、該取得ジッタ値のときのβ値と上記目標β値との大小関係及び差分に基づき、上記記録パワー補正演算手段に上記記録パワーの補正量または補正率を演算させ、当該光ディスク装置に該演算結果に基づく記録パワーの補正を行わせる構成である請求項４に記載の光ディスク装置。
【請求項７】
上記制御手段は、上記ジッタ値比較の結果、取得ジッタ値が、上記ジッタ最小値よりも大きく、その差が、上記基準値を超えるときは、試し書きを指示する信号を形成して出力する構成である請求項６に記載の光ディスク装置。
【請求項８】
上記制御手段は、上記記録パワー補正演算手段が、記録パワーの補正量または補正率を演算した後、装置に記録動作を再開させる構成である請求項４から７のいずれかに記載の光ディスク装置。
【請求項９】
光ディスクにレーザ光を照射して情報記録を行う光ディスク装置の情報記録方法であって、
記録時、記録動作を一時停止させ、ディスク半径位置に対応して、光ディスクからの反射レーザ光に基づく再生信号から、ジッタ値を取得するとともに、該光ディスクに記録された記録マークのβ値を取得するステップと、
上記取得したジッタ値を、既に保存してあるジッタ値と比較し、ジッタ最小値を判別するステップと、
上記判別したジッタ最小値のときのβ値を目標β値として学習するステップと、
上記取得したジッタ値が、上記ジッタ最小値よりも、予め設定した基準値以上大きい場合、該ジッタ値のときのβ値と上記目標β値との大小関係及び差分に基づき記録パワーを補正するステップと、
上記記録動作の一時停止状態を解き、上記補正した記録パワーのレーザ光を光ディスク面に照射し記録動作を再開するステップと、
を経て、光ディスクに情報記録を行うことを特徴とする光ディスク装置の情報記録方法。
【請求項１０】
上記各ステップにおける手順は、上記光ディスクの複数の半径位置において実行される請求項９に記載の光ディスク装置の情報記録方法。
【発明の詳細な説明】
【技術分野】
【０００１】
本発明は光ディスク装置に係り、特に、情報記録を行う際の記録パワーの制御技術に関する。
【背景技術】
【０００２】
従来、光ディスク装置において、例えばＤＶＤの記録では、記録時のレーザ出力を制御するために、記録動作を定期的に停止し、停止直前に記録した信号のβ値を再生信号から測定・演算し、該測定・演算結果を、予め装置に登録してある目標β値と比較し、その差分をなくすようにレーザ出力を調整して記録パワーを補正する制御（ウォーキングＯＰＣと呼ばれる。ＯＰＣ：Ｏｐｔｉｍｕｍ  Ｐｏｗｅｒ  Ｃｏｎｔｒｏｌ）が行われている。しかしながら、このβ値は、記録品質とは直接的に結び付かないし、また、装置間の性能ばらつきや光ディスクのディスク半径位置などによっても、このβ値と記録品質との関係が異なる。このため、この登録されている目標β値に合うように記録パワーを補正しても、記録品質例えばジッタが改善されるとは限らない。
【０００３】
また、光ディスク装置において、記録品質を改善するために、近年、記録マークを再生した再生信号と基準信号との位相誤差を計測するタイムインターバルアナライザ（Ｔｉｍｅ  Ｉｎｔｅｒｖａｌ  Ａｎａｌｙｚｅｒ）機能（以下、ＴＩＡ機能という）を用いて記録パラメータを補正する技術の検討も行われている。ＴＩＡ機能を利用する補正技術であって特許文献に記載された技術としては、例えば、特開２００６−３０２３３２号公報（特許文献１）や特開２００７−４８４１２号公報（特許文献２）や特開２００７−１８５８２号公報（特許文献３）に記載されたものがある。特開２００６−３０２３３２号公報には、記録再生装置において、記録中に温度などの環境が変化した場合、記録劣化を防止するために、記録媒体上の記録可能領域にシークして、最短記録マークの記録パラメータのみを、数パターンの補正値を加えた特定パターンを用いてテスト記録し、それを再生し、記録マークのエッジシフト量に基づいて記録パラメータの補正を行うとした技術が記載され、特開２００７−４８４１２号公報には、情報記録装置において、情報記録媒体へ試し書きの際、記録ストラテジのファーストパルスの立ち上がり位置を変化させるパラメータ、クーリングパルスの立ち上がり位置を変化させるパラメータ及びラストパルスの立ち上がり位置を変化させるパラメータをそれぞれ調整するとした技術が記載され、特開２００７−１８５８２号公報には、光情報記録装置において、高速記録時においても精度の高いライトストラテジ（記録ストラテジ）を短時間で設定可能にするために、所定のライトストラテジに従って、光記録媒体に複数種のマークを含む情報をテスト記録し、その再生信号において値が切り替わる各マークのエッジ毎に、エッジのタイミングとクロックとのずれを検出し、該ずれが全て一致するように、マーク毎にライトストラテジを補正するとした技術が記載されている。
【０００４】
【特許文献１】特開２００６−３０２３３２号公報
【特許文献２】特開２００７−４８４１２号公報
【特許文献３】特開２００７−１８５８２号公報
【発明の開示】
【発明が解決しようとする課題】
【０００５】
上記公報記載の従来技術においてはいずれも、試し書き（テスト記録）された情報から再生される信号に対してＴＩＡ機能が利用されるため、該ＴＩＡ機能によって評価される記録マークのエッジシフト量などは、ユーザデータ領域に記録された情報の再生信号のジッタ特性とは必ずしも一致しない。さらには、該ユーザデータ領域内においても、ディスク半径位置によってジッタ特性がかなり異なることが多い。このため、記録前の試し書き（テスト記録）に基づき補正された記録ストラテジを用いて情報記録を行った場合には、所期の記録品質を確保できないことも起り得ると考えられる。
【０００６】
図９、図１０はそれぞれ、光ディスクのユーザデータ領域（Ｕｓｅｒ  Ｄａｔａ  Ａｒｅａ）に記録された情報の再生信号から実測されるβ値特性とジッタ値特性の例である。ジッタ値は光ディスク装置内のＤＳＰ（Ｄｉｇｉｔａｌ  Ｓｉｇｎａｌ  Ｐｒｏｃｅｓｓｏｒ）が持つＴＩＡ機能により測定される。図９の実測に用いた光ディスク及び光ディスク装置と、図１０の実測に用いた光ディスク及び光ディスク装置とは互いに異なっている。図９は、光ディスク上の異なるディスク半径位置の領域（ゾーン）すなわちゾーン０〜ゾーン３におけるβ値とジッタ値Ｊの関係を示す特性例、図１０は、光ディスクの内周側（ディスク内周側）のユーザデータ領域における記録パワーＰに対するβ値とジッタ値Ｊの特性例（（ａ））と、光ディスクの外周側（ディスク外周側）のユーザデータ領域における記録パワーＰに対するβ値とジッタ値Ｊの特性例（（ｂ））である。図９中、ゾーン０はディスク内周に最も近いユーザデータ領域、ゾーン３はディスク外周に最も近いユーザデータ領域、ゾーン１、２は、ゾーン０とゾーン３との間のユーザデータ領域である。図９の実測特性において、ゾーン０〜ゾーン３のそれぞれにおける特性曲線は互いに異なり、特に、ゾーン０におけるジッタ値の最小値ＭＩＮ０、ゾーン１におけるジッタ値の最小値ＭＩＮ１、ゾーン２におけるジッタ値の最小値ＭＩＮ２、ゾーン３におけるジッタ値の最小値ＭＩＮ３は、互いに異なる値でありかつ異なったβ値に対応している。また、図１０において、ディスク内周側では、記録パワーＰ＝Ｐ１、β値＝β１のとき、ジッタ値Ｊは最小値Ｊｍｉｎ１となり、ディスク外周側では、記録パワーＰ＝Ｐ２（Ｐ２＞Ｐ１）、β値＝β２（β２＞β１）のとき、ジッタ値Ｊは最小値Ｊｍｉｎ２（Ｊｍｉｎ２＞Ｊｍｉｎ１）となっている。このように、光ディスク装置の性能ばらつきや光ディスクのディスク半径位置（ゾーン）などによって、ジッタ特性、β値特性、ジッタ値とβ値との相関特性などが大きく異なる。
【０００７】
本発明の課題点は、上記従来技術の状況に鑑み、光ディスク装置において、装置間の性能ばらつきや光ディスクのディスク半径位置による性能ばらつきなどの影響を抑えた記録パワーで情報記録を行えるようにすることである。
本発明の目的は、かかる課題点を解決し、記録品質を安定して確保可能な光ディスク装置を提供することにある。
【課題を解決するための手段】
【０００８】
上記課題点を解決するために、本発明では、光ディスク装置として、情報の記録時、ディスク半径位置に対応して、光ディスクからの反射レーザ光に基づく再生信号からジッタ値とβ値を取得し、該取得したジッタ値が最小となるときのβ値を目標β値として学習し、その後に取得したジッタ値が、上記ジッタ最小値よりも、予め設定した基準値以上に大きいとき、該取得ジッタ値のときのβ値と上記目標β値との大小関係及び差分に基づき記録パワーを補正するか、または試し書きを行う構成とする。
【発明の効果】
【０００９】
本発明によれば、光ディスク装置において、記録品質を確保した記録パワーでの情報記録が可能となる。
【発明を実施するための最良の形態】
【００１０】
以下、本発明の実施例につき、図面を用いて説明する。
図１は、本発明の実施例としての光ディスク装置の構成例図、図２は、図１の光ディスク装置における目標β値と記録パワーの説明図、図３は、図１の光ディスク装置における各ディスク半径位置での記録動作の説明図、図４は、図１の光ディスク装置において記録中に試し書きを行う場合の説明図、図５は、図１の光ディスク装置における記録動作特性例図、図６は、図１の光ディスク装置の動作フロー図、図７は、図１の光ディスク装置による２層ディスクに対する記録動作特性例図、図８は、図１の光ディスク装置による２層ディスクに対する記録動作特性例図であって、記録パワーの補正を行わない場合の図である。
【００１１】
図１において、１は、本発明の実施例としての光ディスク装置、２は、ＤＶＤ、青色レーザ用ディスクなどの光ディスク、３は、光ディスク２を回転駆動するスピンドルモータ、４は光ピックアップ、５は対物レンズ、６は、記録または再生のために所定の強さまたは光量のレーザ光を発生するレーザダイオード、７は、レーザダイオード６を駆動するレーザ駆動回路、８は、対物レンズ５を介し光ディスク２の記録面（以下、光ディスク面という）からの反射レーザ光を受光して電気信号に変換し出力する受光部、９は、受光部８からの信号を増幅するなどアナログ処理するアナログフロントエンド、１１は、直線状のガイド部材（図示なし）やリードスクリュー部材（図示なし）などを備えて構成され、光ピックアップ４を光ディスク２の略半径方向に移動させる移動・案内機構部、１２は、移動・案内機構部１１内にあってリードスクリュー部材（図示なし）を回転駆動するスライドモータ、１５は、スピンドルモータ３やスライドモータ１２などを駆動するモータ駆動回路である。
【００１２】
また、２０はＤＳＰ、２０１は、ＤＳＰ２０内にあってモータ駆動回路１５を制御するモータ制御部、２０２は、同じくＤＳＰ２０内にあって記録信号を生成する記録信号生成部、２０３は、同じくＤＳＰ２０内にあって受光部８からの再生信号を、ＲＦ信号や、トラッキングエラー信号や、フォーカスエラー信号として処理する再生信号処理部、２０４は、ＤＳＰ２０内にあって、再生信号処理部３３から出力される再生信号から、例えばＴＩＡ機能によってジッタ値を測定するジッタ取得手段としてのジッタ取得部、２０５は、ＤＳＰ２０内にあって、再生信号処理部３３からの再生信号から、光ディスク２に記録されている記録マークのβ値を測定・演算によって取得するβ取得手段としてのβ取得部、２０６は、取得したβ値に基づき、記録パワーの補正量または補正率を演算する記録パワー補正演算手段としての記録パワー補正演算部、２０７はメモリである。β取得部２０５では、上記再生信号の最大レベルａ１と最小レベルａ２とを測定し、該両レベルの和と差の比すなわち（ａ１＋ａ２）／（ａ１−ａ２）をβ値として演算する。モータ制御部２０１、記録信号生成部２０２、再生信号処理部２０３、ジッタ取得部２０４、β取得部２０５、記録パワー補正演算部２０６はいずれも、ＤＳＰ２０内で電子回路として構成される。
【００１３】
さらに、３０は、ＤＳＰ２０を制御するマイコン、３０１は、マイコン３０内に設けられた制御手段としての制御部、３０２は、マイコン３０内の信号比較・学習部、３０２１は、該信号比較・学習部３０２内に設けられ、上記ジッタ取得部２０４が取得したジッタ値を、既に取得してあるジッタ値と比較するとともに、最小のジッタ値を判別するジッタ比較手段としてのジッタ比較部、３０２２は、同じく信号比較・学習部３０２内に設けられ、上記最小ジッタ値のときのβ値を、記録パワー制御用の目標β値として学習する目標β学習手段としての目標β学習部、３０２３は、上記目標β値の学習後に取得されたβ値と該目標β値とを比較するβ比較部である。制御部３０１、ジッタ比較部３０２１、目標β学習部３０２２、β比較部３０２３はいずれも、マイコン３０内で電子回路として構成される。制御部３０１は、マイコン３０内の信号比較・学習部３０２や、ＤＳＰ２０の諸部分（メモリ２０７を含む）や、レーザ駆動回路７など光ディスク装置１全体を制御する。上記判別したジッタ最小値や上記学習した目標β値は、制御部３０１による制御により、ＤＳＰ２０内のメモリ２０７に保存される。該保存されるジッタ最小値や目標β値は、該判別動作や該学習動作の度に更新される。
【００１４】
上記記録パワー補正演算部２０６は、上記β比較部３０２３での比較結果に基づき、記録パワーの補正量または補正率を演算する。すなわち、上記目標β値の学習後に上記β取得部２０５で取得されたβ値をβｅ、上記目標β学習部が既に学習しメモリ２０７に保存してある目標β値をβｔとするとき、β比較部３０２３が、制御部３０１により制御されて、該両β値を比較し、その差分|βｔ−βｅ|に対応した信号を出力する。該記録パワー補正演算部２０６は、該信号によりすなわち該差分|βｔ−βｅ|に対応して記録パワーの補正量または補正率を演算する。該演算結果の信号は、レーザ駆動回路７に入力される。レーザ駆動回路７は該演算結果の信号に基づく駆動信号を生成し、該駆動信号でレーザダイオード６を駆動し、該レーザダイオード６から、上記補正量または補正率で補正された記録パワーに対応するレーザ光を出射させる。
【００１５】
記録時、制御部３０１は、予め設定された時間間隔または半径距離間隔で、光ディスク装置１に記録動作を一時的に停止させ、該停止位置となる複数のディスク半径位置のそれぞれにおいて、記録パワーの補正制御（Ｏｐｔｉｍｕｍ  Ｐｏｗｅｒ  Ｃｏｎｔｒｏｌ）（以下、ＯＰＣという）を行う。すなわち、制御部３０１は、上記複数のそれぞれのディスク半径位置において、レーザ駆動回路７からの記録用駆動信号のレーザダイオード６側への出力を停止させるとともに、記録信号生成部２０２を制御して記録信号の生成・出力を停止させ、かつ、モータ制御部２０１を制御してスライドモータ１２を停止させ、移動・案内機構部１１の作動を停止させる。そして、このとき、制御部３０１は、ジッタ取得部２０４に対しては、それぞれのディスク半径位置に対応したジッタ値すなわち記録の一時停止直前におけるジッタ値を取得させ、β取得部２０５に対しては、該それぞれのディスク半径位置に対応したβ値すなわち記録の一時停止直前におけるβ値を取得させ、ジッタ比較部３０２１に対しては、上記取得ジッタ値と、既にメモリ２０７に保存されているジッタ最小値とを比較させて、該それぞれのディスク半径位置に対応した最小ジッタ値を判別させ、また、目標β学習部３０２２に対しては、該最小ジッタ値のときの目標β値を学習させ、メモリ２０７に対しては、該判別したジッタ最小値や該学習した目標β値を保存させる。
【００１６】
上記制御部３０１は、記録中に複数のディスク半径位置においてそれぞれ、ジッタ値を比較して最小ジッタ値を判別し、該判別結果に基づき目標β値を学習し、該目標β値を基準に記録パワーの補正を行うか、または試し書きを再び行う。すなわち、記録時、上記複数のそれぞれのディスク半径位置において記録動作を一時停止させるとき、上記制御部３０１は、ジッタ比較部３０２１によるジッタ値比較の結果、上記取得ジッタ値が、既にメモリ２０７に保存されているジッタ最小値よりも大きく、その差が、予め設定した第１の基準値以上で第２の基準値未満の範囲のとき、該取得ジッタ値のときのβ値と上記目標β値との大小関係及び差分に基づき、記録パワー補正演算部２０６に記録パワーの補正量または補正率を演算させ、レーザ駆動回路７を介してレーザダイオード６から、該演算結果に対応して補正された記録パワーのレーザ光を出射させる。該記録パワー補正においては、補正される記録パワーが目標β値を満たすようにする。具体的には、取得したβ値が、目標β値よりも大きい場合には、該両β値の差分に対応して記録パワーを減少させ、反対に、取得したβ値が、目標β値よりも小さい場合には、該両β値の差分に対応して記録パワーを増大させて、ジッタ値を下げるようにする。また、上記差が、上記第２の基準値以上のときは、試し書きを指示する信号を形成して出力する。
【００１７】
また、記録時、上記複数のそれぞれのディスク半径位置において記録動作を一時停止させるとき、上記制御部３０１は、ジッタ比較部３０２１によるジッタ値比較の結果、取得ジッタ値が、既にメモリ２０７に保存されているジッタ最小値よりも大きく、その差が、予め設定した基準値以内にあり、かつ上記β比較部３０２３における上記β値比較の結果、取得β値が、上記目標β値よりも大きくかつ予め設定された基準値を超える場合にも、該取得ジッタ値のときのβ値と上記目標β値との大小関係及び差分に基づき、上記記録パワー補正演算手段に上記記録パワーの補正量または補正率を演算させ、当該光ディスク装置に該演算結果に基づく記録パワーの補正を行わせる。
【００１８】
また、上記制御部３０１は、上記ジッタ値比較の結果、取得ジッタ値が、上記ジッタ最小値よりも大きく、その差が、上記基準値を超えるときは、試し書きを指示する信号を形成して出力する。
【００１９】
上記制御部３０１は、上記各場合に、上記記録パワー補正演算部２０６が、記録パワーの補正量または補正率を演算した後は、マイコン３０を含む光ディスク装置１全体を制御し、該光ディスク装置１に記録動作を再開させる。すなわち、制御部３０１は、モータ制御部２０１を制御して、スライドモータ１２に回転を再開させて移動・案内機構部１１を再駆動させ、光ピックアップ４の移動を再開させるとともに、記録信号生成部２０２を制御して記録信号の生成・出力を行わせ、かつ、レーザ駆動回路７によりレーザダイオード６に上記補正した記録パワーに対応するレーザ発光を行わせて、該補正した記録パワーで光ディスク装置１に記録動作を再開させる。また、該制御部３０１は、光ディスク装置１が最初に記録動作を開始する前の状態においては、予めメモリ２０７に登録されているβ値を用いて光ディスク装置１に記録パワーの設定を行わせる。
以下、説明中で用いる図１の光ディスク装置１の構成要素には、図１の場合と同じ符号を付して用いる。
【００２０】
図２は、図１の光ディスク装置１における目標β値と記録パワーの説明図である。
図２において、横軸は、光ディスク２の記録面へ投入される記録パワーＰ、縦軸は、光ディスク２の記録面の記録マークのβ値とジッタ値Ｊである。光ディスク装置１の記録動作中、該記録動作を一時停止させるとき、ジッタ比較部３０２１における比較・判別よりジッタ最小値Ｊｍｉｎが取得されると、これに対応したβ値が、目標β学習部３０２２によって目標β値βｔとして学習され、さらに、該目標β値βｔに対応する記録パワーが目標記録パワーＰｏとして、制御部３０１により設定される。図２中、Ｑは、ジッタ最小値Ｊｍｉｎのときのβ値すなわち目標β値を示すβ特性曲線上の点である。
【００２１】
図３は、図１の光ディスク装置１の、光ディスク２の複数の各ディスク半径位置における記録動作の説明図である。
光ディスク装置１は、予め設定された時間間隔または半径距離間隔の複数のディスク半径位置のそれぞれにおいて、記録動作を一時的に停止して、ジッタ値の取得、比較、ジッタ最小値の判別、β値の取得、目標β値の学習、記録パワー補正の要否の判別、記録パワー補正率の演算、試し書きの要否の判別などを行い、その後記録動作を再開する。
【００２２】
図３において、１００は、光ディスク２の記録面におけるユーザデータ領域（Ｕｓｅｒ  Ｄａｔａ  Ａｒｅａ）、１０１は、ディスク内周側に設けられたリードイン領域（Ｌｅａｄ−ｉｎ  Ｚｏｎｅ）、１０２は、ディスク外周側に設けられたアウタ領域（Ｏｕｔｅｒ  Ｚｏｎｅ）、ｒ１、ｒ２、ｒ３、ｒ４、ｒ５、ｒ６、…はそれぞれ、記録動作が一時停止されるユーザデータ領域１００内のディスク半径位置、Ｓは、隣接する該ディスク半径位置間の間隔すなわち記録動作が一時停止されてから次に一時停止されるまでの半径距離である。光ディスク装置１の場合、該半径距離は各隣接ディスク半径位置間で同じとされる。また、Ａ〜Ｅはそれぞれ動作の時点、ｒＡ〜ｒＥはそれぞれ、時点Ａ〜Ｅに対応したディスク半径位置である。例えば、光ディスク装置１が、光ディスク２に対し、ディスク半径位置ｒ１、ｒ２間の領域で記録動作を行うと、制御部３０１は、光ディスク装置１に、該ディスク半径位置ｒ２で該記録動作を一時停止させてＯＰＣを実行させる。すなわち、制御部３０１は、光ディスク装置１に、Ａ時点（ディスク半径位置ｒＡ）では記録動作を続行させ、Ｂ時点で該記録動作を一時停止させ、該Ｂ時点のディスク半径位置ｒＢから光ピックアップ４を、ディスク内周側に例えば数Ｃｌｕｓｔｅｒ（Ｃｌｕｓｔｅｒ：Ｂｌｕ−ｒａｙ  Ｄｉｓｃにおける最小記録単位）相当分離れた距離にあるディスク半径位置ｒＣに戻す（Ｃ時点）。その後、再び、光ピックアップ４をディスク外周側に向けて上記数Ｃｌｕｓｔｅｒ相当分の距離を移動させ、ディスク半径位置ｒＤに戻す（Ｄ時点）（ディスク半径位置ｒＤはディスク半径位置ｒＢと同じ半径位置であるとする）。該移動中のＣ、Ｄ時点間に、制御部３０１は、再生信号処理部２０３に対し、一時停止の直前に記録された情報を再生させ、さらに、その再生信号から、ジッタ取得部２０４にはジッタ値を取得させ、β取得部にはβ値を取得させる。
【００２３】
Ｄ時点のディスク半径位置ｒＤにおいて、制御部３０１は、ジッタ比較部３０２１には、上記取得ジッタ値と、既にメモリ２０７に保存されているジッタ最小値とを比較させ、該それぞれのディスク半径位置に対応した最小ジッタ値を判別させ、また、目標β学習部３０２２に対しては、該最小ジッタ値のときの目標β値を学習させ、メモリ２０７に対しては、該判別したジッタ最小値や該学習した目標β値を保存させる。さらに、該ディスク半径位置ｒＤにおいて、制御部３０１は、上記ジッタ比較部３０２１によるジッタ値比較の結果、上記取得ジッタ値が、既にメモリ２０７に保存されているジッタ最小値よりも大きくかつ予め設定された第１の基準値を超え第２の基準値未満の場合には、記録パワー補正演算部２０６に、該ジッタ最小値のときの目標β値に基づいて記録パワーの補正量または補正率を演算させ、光ディスク装置１に記録パワーの補正を行わせる。その後、該補正された記録パワーのレーザ光をレーザダイオード６から出射させ該ディスク半径位置ｒＤから記録動作を再開させる。
【００２４】
また、ディスク半径位置ｒＤにおいて、制御部３０１は、上記ジッタ比較部３０２１におけるジッタ値比較の結果に基づき、試し書きの要否の判別も行う。すなわち、該ジッタ値比較の結果、上記取得ジッタ値が、上記第２の基準値以上の場合には、試し書きが必要であると判断し、試し書きを指示する信号を形成して出力する。
【００２５】
図４は、図１の光ディスク装置１において記録中に試し書きを行う場合の説明図である。
図４において、例えば、記録動作が一時停止されるユーザデータ領域１００内のディスク半径位置ｒ３において、ジッタ比較部３０２１によるジッタ値比較の結果、上記取得ジッタ値が、上記第２の基準値以上となった場合には、制御部３０１は、試し書きを指示する信号を形成し、モータ制御部２０１を制御して、スライドモータ１２に回転をさせ、移動・案内機構部１１を駆動させて、光ピックアップ４を、光ディスク２のリードイン領域１０１内の試し書き領域に対応するディスク半径位置に移動させる。該ディスク半径位置で、制御部３０１は、光ディスク装置１に試し書き領域への試し書きを実行させる。該制御部３０１は、該試し書きを、光ディスク装置１が最初に記録動作を開始する前の状態において行う試し書きと同じ条件で行わせる。該試し書き後は、制御部３０１は、再び、モータ制御部２０１を制御して、スライドモータ１２に回転をさせ、移動・案内機構部１１を駆動させて、光ピックアップ４を、光ディスク２のディスク半径位置ｒ３に移動させ、該ディスク半径位置ｒ３で、光ディスク装置１に情報の記録動作を再開させる。
【００２６】
図５は、図１の光ディスク装置１における記録動作特性例図である。本特性は、図３で説明したように、記録動作を光ディスク２の複数のディスク半径位置で一時的に停止し、該停止位置のそれぞれにおいて、ジッタ値の取得、比較、ジッタ最小値の判別、β値の取得、目標β値の学習、記録パワー補正の要否の判別、記録パワー補正率の演算を実施した場合のシミュレーション結果である。
【００２７】
図５において、横軸はディスク半径位置ｒ、縦軸は、ジッタ値Ｊ、β値及び記録パワーの補正率である。例えば、ディスク半径位置ｒ１においては、ジッタ値は、ディスク半径位置ｒ０におけるジッタ値よりも０．５％（予め設定されている基準値）以上小さいため、該ディスク半径位置ｒ１において取得されたβ値が目標β値として学習されるが、ジッタ値の増大はなく記録品質の劣化はないため、記録パワー補正率はゼロとされ、記録パワーの補正は行われない。ディスク半径位置ｒ２、ｒ３においても同様である。また、ディスク半径位置ｒ４においては、ジッタ値が７％（予め設定されている基準値）以下と極端に小さく、これは、ジッタ取得部２０４における読み取りエラーに起因するとされて、該ジッタ値は切捨てられ、ディスク半径位置ｒ３において取得されたジッタ値をもって該ディスク半径位置ｒ４におけるジッタ値とされ、やはり、記録パワー補正率はゼロとされる。
【００２８】
また、図５において、ジッタ値としては、ディスク半径位置ｒ６において取得されるジッタ値が最小となり、これがディスク半径位置ｒ６以降の領域におけるジッタ最小値Ｊｍｉｎとされる。また、このときのβ値が、ディスク半径位置ｒ６以降の領域における目標β値βｔとして学習される。これらジッタ最小値Ｊｍｉｎと目標β値βｔは、メモリ２０７に保存される。例えば、ディスク半径位置ｒ１６においては、ジッタ値は、ディスク半径位置ｒ６における最小ジッタ値Ｊｍｉｎよりも、０．５％（予め設定されている基準値）以上大きいため、記録品質が劣化しているとして、ディスク半径位置ｒ６において学習された目標β値βｔを基準に、記録パワー補正率が演算され、記録パワーの補正が行われる。具体的には、該ディスク半径位置ｒ１６における取得β値が上記目標β値βｔよりも低減しているため、該取得β値と該目標β値βｔとの差分に対応した記録パワー補正率が演算され、これに基づいて記録パワーの増大化補正が行われる。ディスク半径位置ｒ１７においても同様である。
【００２９】
図６は、図１の光ディスク装置１の動作フロー図である。
図６において、
（１）ホストコンピュータ（図示なし）から記録要求の指示信号が出される（ステップＳ６０１）と、マイコン３０内の制御部３０１は、インターフェース（図示なし）を介して該指示信号を受信し、記録動作を一時停止させるともに、記録ＤＳＰ２０内のジッタ取得部２０４に対しては再生信号からジッタ値を取得させ、β取得部に対してはβ値を取得させる（ステップＳ６０２）。
（２）制御部３０１は、光ディスク装置１が今後実施する記録パワーの補正が最初のＯＰＣか否かを判別するとともに、上記ジッタ取得部２０４が取得したジッタ値は最小値か否かをジッタ比較部３０２１に判別させる（ステップＳ６０３）。
（３）上記ステップＳ６０３における判別の結果、今後実施する記録パワーの補正が最初のＯＰＣであるかまたは上記取得ジッタ値が最小値である場合は、制御部３０１は、該取得ジッタ最小値と、既にメモリ２０７に保存されているジッタ最小値との差が、予め設定してある基準値である例えば１．５％以内か否かをジッタ比較部３０２１に判別させる（ステップＳ６０４）。
（４）上記ステップＳ６０４における判別の結果、上記取得ジッタ値と、上記保存されているジッタ最小値との差が１．５％以内である場合には、制御部３０１は、β比較部３０２３に、上記取得ジッタ最小値のときの上記取得β値と、既にメモリ２０７に保存されている目標β値との差が、予め設定してある基準値である例えば５％以内か否かを判別させるとともに、ジッタ比較部３０２１に、上記取得ジッタ最小値と、上記保存されているジッタ最小値との差が、予め設定してある基準値である例えば０．２％以上か否かを判別させる（ステップＳ６０５）。
（５）上記ステップＳ６０５における判別の結果、上記取得β値と、上記目標β値との差が５％以内であるか、または、上記取得ジッタ最小値と、上記保存されているジッタ最小値との差が０．２％以上である場合には、制御部３０１は、メモリ２０７に、上記取得ジッタ最小値を、更新された新たなジッタ最小値として保存させるとともに、目標β学習部に、該取得ジッタ最小値のときの上記取得β値を目標β値として学習させ、該目標β値をメモリ２０７に保存させる（ステップＳ６０６）。
【００３０】
（６）制御部３０１は、光ディスク装置１に記録動作を再開させる（ステップＳ６０７）。
（７）上記ステップＳ６０３における判別の結果、今後実施する記録パワーの補正が最初のＯＰＣでないかまたは上記取得ジッタ値が最小値でない場合、または、上記ステップＳ６０４における判別の結果、上記取得ジッタ値と上記保存されているジッタ最小値との差が１．５％以内でない場合、または、上記ステップＳ６０５における判別の結果、上記取得β値と上記目標β値との差が、予め設定してある基準値である例えば５％を超えるか、または、上記取得ジッタ最小値と上記保存されているジッタ最小値との差が、予め設定してある基準値である例えば０．２％未満である場合には、制御部３０１は、該取得ジッタ最小値と、既にメモリ２０７に保存されているジッタ最小値との差が、例えば０．５％（予め設定してある第１の基準値）以上か否かをジッタ比較部３０２１に判別させる（ステップＳ６０８）。
（８）上記ステップＳ６０８における判別の結果、上記取得ジッタ最小値と、既にメモリ２０７に保存されているジッタ最小値との差が０．５％以上の場合には、制御部３０１は、さらに、該取得ジッタ最小値と、既にメモリ２０７に保存されているジッタ最小値との差が、例えば５％（予め設定してある第２の基準値）以上か否かをジッタ比較部３０２１に判別させる（ステップＳ６０９）。
（９）上記ステップＳ６０９における判別の結果、取得ジッタ最小値と、既にメモリ２０７に保存されているジッタ最小値との差が５％以上の場合には、制御部３０１は、試し書きの指示を出し、光ディスク装置１に光ディスク２の試し書き領域への試し書きを実行させる（ステップＳ６１０）。
（１０）制御部３０１は、上記試し書きの結果に基づき、光ディスク装置１に記録動作を再開させる（ステップＳ６０７）。
【００３１】
（１１）上記ステップＳ６０８における判別の結果、上記取得ジッタ最小値と、既にメモリ２０７に保存されているジッタ最小値との差が０．５％未満である場合には、制御部３０１は、上記取得ジッタ最小値のときの上記取得β値と、既にメモリ２０７に保存されている目標β値との差が、予め設定してある基準値である例えば５％を超えるか否かを判別させる（ステップＳ６１１）。
（１２）上記ステップＳ６１１における判別の結果、上記取得ジッタ最小値のときの上記取得β値と、既にメモリ２０７に保存されている目標β値との差が５％を超える場合には、上記ステップＳ６０９の処理に移行する。
（１３）上記ステップＳ６１１における判別の結果、上記取得ジッタ最小値のときの上記取得β値と、既にメモリ２０７に保存されている目標β値との差が５％以下の場合には、制御部３０１は、光ディスク装置１に記録動作を再開させる（ステップＳ６０７）。
（１４）さらに、上記ステップＳ６０９における判別の結果、取得ジッタ最小値と、既にメモリ２０７に保存されているジッタ最小値との差が５％未満の場合には、制御部３０１は、記録パワー補正の指示を出し、光ディスク装置１に記録パワーの補正を実行させる（ステップＳ６１２）。
（１５）制御部３０１は、光ディスク装置１に、上記補正された記録パワーでの記録動作を再開させる（ステップＳ６０７）。
【００３２】
上記各場合における一連の手順は、メモリ２０７など光ディスク装置１内に設けられた記憶手段に保存されたプログラムに従って、マイコン３０が自動的に実行する。
【００３３】
図７、図８は、図１の光ディスク装置１による２層ディスクに対する記録動作特性の一例を示す図である。図７は、図６の動作フローに従って記録パワーの補正を行った場合、図８は、記録パワーの補正を行わない場合である。
【００３４】
図７において、１層目の記録層Ｌ０への記録時は、ディスクの最内周側で得られるジッタ値が最小であり、ディスク外周側に向かうにつれてジッタ値が増大するが、取得ジッタ値が、ディスク内周側のジッタ最小値よりも０．５％以上大きくなるディスク半径位置においてはじめて、記録パワーの補正が行われる。該補正は、該取得ジッタ値のときのβ値（取得β値）と上記ジッタ最小値のときのβ値（＝目標β値）との大小関係及び差分に基づいて行われる。本特性例の場合、各ディスク半径位置における取得β値は目標β値よりも大きいため、記録パワーは減少する方向に補正される。各ディスク半径位置で学習される目標β値は、ディスクの最内周側でジッタ最小値が得られるため、該最内周側で得られるβ値と同じであって、各ディスク半径位置で一定である。その後、該補正された記録パワーにより情報記録が行われる。かかる記録パワーの補正と該補正された記録パワーによる情報記録とを繰り返しながらディスク最外周部に至り、２層目の記録層Ｌ１への記録へと移行する。１層目の記録層Ｌ０から２層目の記録層Ｌ１への切り替わり点においては、取得ジッタ値が増大するとともに、取得β値も増大しているため、記録パワーを抑えるために、１層目の記録層Ｌ０の場合よりも低い目標β値が設定され、これを基準に補正された記録パワーで情報記録がなされる。その後、２層目の記録層Ｌ１においても、１層目の記録層Ｌ０の場合と同様、各ディスク半径位置で学習される目標β値と取得β値とに基づいて補正された記録パワーで情報記録が行われる。
【００３５】
上記図７の特性に対し、記録パワーの補正が行われない場合は、図８の特性となる。図８の特性において、特に、２層目の記録層Ｌ１においては、記録に先立って最初に行うＯＰＣの処理精度が悪いために、初期のジッタ値が大きい。しかしながら、本図８の特性では、図７の特性におけるようなジッタ値を低減させるための目標β値の学習やそれに基づく記録パワーの補正が行われていないために、該初期のジッタ値はその後も改善されず、さらに増大してしまっている。
【００３６】
上記説明した本発明の実施例としての光ディスク装置１によれば、ディスク半径位置に対応して、ジッタ最小値を判別し、そのときのβ値を基準に記録パワーの補正を行い、それに基づいて記録を行う構成のため、装置間の性能ばらつきや光ディスクのディスク半径位置による性能ばらつきなどの影響を抑えた記録パワーで情報記録を実施することができ、この結果、記録品質を安定して確保することが可能となる。
【００３７】
なお、上記実施例では、マイコン３０がＤＳＰ２０を制御する構成としたが、本発明はこれに限定されず、例えば、マイコン全体またはその一部がＤＳＰ２０内に含まれる構成であってもよいし、または、逆に、マイコン内に、ＤＳＰ２０内の回路の一部例えばβ取得部２０５や記録パワー補正演算部２０６などが含まれる構成であってもよい。また、上記実施例では、制御手段としての制御部３０１、ジッタ比較手段としてのジッタ比較部３０２１、目標β学習手段としての目標β学習部３０２２及びβ比較部３０２３をマイコン３０内に設けまたはマイコン３０として構成し、ジッタ取得手段としてのジッタ取得部２０４、β取得手段としてのβ取得部２０５、記録パワー補正演算手段としての記録パワー補正演算部２０６及びメモリ２０７をＤＳＰ２０内に設ける構成としたが、本発明はこれにも限定されない。
【００３８】
また、上記実施例では、ジッタ値を測定し、該ジッタ値を指標に記録パワーを補正制御する場合につき説明したが、この他、該ジッタ値に基づき、記録ストラテジの調整や、レーザダイオードの発光停止制御なども可能である。また、上記実施例では、目標β値の学習を、ジッタ値を指標にして行っているが、該目標β値の学習は、再生信号（ＲＦ信号）の振幅や装置温度などを指標にして行う構成も考えられる。また、上記実施例では、ジッタ最小値の判別や目標β値の学習を行うディスク半径位置間の間隔すなわち記録動作が一時停止されてから次に一時停止されるまでの半径距離Ｓを、隣接するディスク半径位置間で等しくしているが、本発明はこれに限定されない。
【図面の簡単な説明】
【００３９】
【図１】本発明の実施例としての光ディスク装置の構成例図である。
【図２】図１の光ディスク装置における目標β値と記録パワーの説明図である。
【図３】図１の光ディスク装置における各ディスク半径位置での記録動作の説明図である。
【図４】図１の光ディスク装置において記録中に試し書きを行う場合の説明図である。
【図５】図１の光ディスク装置における記録動作特性例図である。
【図６】図１の光ディスク装置の動作フロー図である。
【図７】図１の光ディスク装置による２層ディスクに対する記録動作特性例図である。
【図８】図１の光ディスク装置による２層ディスクに対する記録動作特性であって、記録パワーの補正を行わない場合の特性例図である。
【図９】本発明の課題の説明図である。
【図１０】本発明の課題の説明図である。
【符号の説明】
【００４０】
１…光ディスク装置、
２…光ディスク、
３…スピンドルモータ、
４…光ピックアップ、
５…対物レンズ、
６…レーザダイオード、
７…レーザ駆動回路、
８…受光部、
９…アナログフロントエンド、
１１…移動・案内機構部、
１２…スライドモータ、
１５…モータ駆動回路、
２０…ＤＳＰ、
２０１…モータ制御部、
２０２…記録信号生成部、
２０３…再生信号処理部、
２０４…ジッタ取得部、
２０５…β取得部、
２０６…記録パワー補正演算部、
２０７…メモリ、
３０…マイコン、
３０１…制御部、
３０２…信号比較・学習部、
３０２１…ジッタ比較部、
３０２２…目標β学習部、
３０２３…β比較部。
【図１】
2008299913.tif 000003
【図２】
2008299913.tif 000004
【図３】
2008299913.tif 000005
【図４】
2008299913.tif 000006
【図５】
2008299913.tif 000007
【図６】
2008299913.tif 000008
【図７】
2008299913.tif 000009
【図８】
2008299913.tif 000010
【図９】
2008299913.tif 000011
【図１０】
2008299913.tif 000012